(57)【要約】【課題】消火器を消火バケツと共に、倒れにくく、しかも、火災発生時に発見しやすく、かつ、取り出しやすい状態で収納する消火器と消火バケツの収納容器を提供する。【解決手段】収納容器１の上面に消火器用透孔３と消火バケツ用透孔５とを設け、消火器７と消火バケツ９とをそれぞれ上部７ａ、９ａを該消火器用透孔と該消火バケツ用透孔とから上方に露出させた状態で収納するようにしたことを特徴とする消火器と消火バケツの収納容器。前記収納容器には、消火器と消火バケツとの存在を示す表示板１５を支柱１７を介して立設する。【選択図】図１
0003119174.tif 000002
【実用新案登録請求の範囲】
【請求項１】
収納容器の上面に消火器用透孔と消火バケツ用透孔とを設け、消火器と消火バケツとをそれぞれ上部を該消火器用透孔と該消火バケツ用透孔とから上方に露出させた状態で収納するようにしたことを特徴とする消火器と消火バケツの収納容器。
【請求項２】
前記収納容器には、消火器と消火バケツとの存在を示す表示板を支柱を介して立設したことを特徴とする請求項１に記載の消火器と消火バケツの収納容器。
【請求項３】
略長方形状の底部の四辺にそれぞれ壁板を折り畳み自在に枢着してなる本体部と、該本体部の開口上面に取り外し自在に嵌着した蓋体とよりなる収納容器を備え、
該蓋体に消火器用透孔と消火バケツ用透孔とを設け、消火器と消火バケツとをそれぞれ上部を該消火器用透孔と該消火バケツ用透孔とから上方に露出させた状態で収納し、
該収納容器には、消火器と消火バケツとの存在を示す表示板を分割自在の支柱を介して立設し、
該表示板と分割した支柱とを前記底部上に載置した状態で各壁板を内側に折り畳むと共に蓋体を該底部上に嵌着することができるようにしたことを特徴とする消火器と消火バケツの収納容器。
【考案の詳細な説明】
【技術分野】
【０００１】
本考案は、消火器と消火バケツの収納容器に関するものであり、一般家庭のみならず、建築工事現場、内装工事現場、更には、工場、事務所、劇場、駅その他の施設等に設置される消火器と消火バケツの収納容器に係るものである。
【背景技術】
【０００２】
消火器と消火バケツは、一般に建物の床上に自立状態で配設されている。
【０００３】
実開平５−９１７１０号公報は、消火器収納容器を開示している。この消火器収納容器は、収納容器の天面に蓋体を設け、該蓋体の略中央部に化粧材を装着する装着孔を形成し、該収納容器内に消火器を収納してなるものである。
【特許文献１】実開平５−９１７１０号公報
【考案の開示】
【考案が解決しようとする課題】
【０００４】
消火器を建物の床上に自立状態で配設した場合には、該消火器は衝撃、振動等により倒れるおそれがある。消火器が倒れたときには、該消火器内に収納されている消火剤が噴出することがある。消火器から消火剤が噴出すると、周囲の商品、家具、建具、床、壁等が汚れ、大きな損害を受けることがある。
【０００５】
一方、実開平５−９１７１０号公報に開示されている消火器収納容器においては、消火器は収納容器内に隠れているため、火災発生時に該消火器を発見しにくいのみならず、該消火器を収納容器から取り出す作業に手間取るおそれもある。
【０００６】
本考案は、上記従来の技術における上述の如き問題を解決し、消火器を消火バケツと共に、倒れにくく、しかも、火災発生時に発見しやすく、かつ、取り出しやすい状態で収納する消火器と消火バケツの収納容器を提供しようとしてなされたものである。
【課題を解決するための手段】
【０００７】
上記課題を解決するために、本考案は、下記の消火器と消火バケツの収納容器を提供する。
【０００８】
（１）収納容器の上面に消火器用透孔と消火バケツ用透孔とを設け、消火器と消火バケツとをそれぞれ上部を該消火器用透孔と該消火バケツ用透孔とから上方に露出させた状態で収納するようにしたことを特徴とする消火器と消火バケツの収納容器（請求項１）。
【０００９】
（２）前記消火器と消火バケツの収納容器には、消火器と消火バケツとの存在を示す表示板を支柱を介して立設する（請求項２）。
【００１０】
（３）略長方形状の底部の四辺にそれぞれ壁板を折り畳み自在に枢着してなる本体部と、該本体部の開口上面に取り外し自在に嵌着した蓋体とよりなる収納容器を備え、
該蓋体に消火器用透孔と消火バケツ用透孔とを設け、消火器と消火バケツとをそれぞれ上部を該消火器用透孔と該消火バケツ用透孔とから上方に露出させた状態で収納し、
該収納容器には、消火器と消火バケツとの存在を示す表示板を分割自在の支柱を介して立設し、
該表示板と分割した支柱とを前記底部上に載置した状態で各壁板を内側に折り畳むと共に蓋体を該底部上に嵌着することができるようにしたことを特徴とする消火器と消火バケツの収納容器（請求項３）。
【考案の効果】
【００１１】
［請求項１の考案］
消火器と消火バケツはそれぞれ上部を上面の消火器用透孔と消火バケツ用透孔とから上方に露出させた状態で収納されるため、消火器と消火バケツが衝撃、振動等により倒れるおそれはない。
【００１２】
消火器と消火バケツはそれぞれ上部を上面の消火器用透孔と消火バケツ用透孔とから上方に露出させているため、消火器と消火バケツの位置は常時関係者に認識され、消火器と消火バケツは火災発生時に発見しやすい。また、消火器と消火バケツとを収納容器から取り出すことも容易である。
【００１３】
[請求項２の考案]
収納容器には、消火器と消火バケツとの存在を示す表示板を支柱を介して立設したため、消火器と消火バケツの位置は常時関係者により明確に認識され、消火器と消火バケツは火災発生時に一層発見しやすい。
【００１４】
[請求項３の考案]
請求項３の考案は、上記請求項１、２の考案と同様の効果を発揮する他、次のような優れた効果を発揮する。
【００１５】
即ち、請求項３の考案によれば、収納容器は表示板と支柱とを収納させた状態でコンパクトに折り畳むことができるため、販売前ないし非使用時の運搬、取り扱い等に便利である。
【考案を実施するための最良の形態】
【００１６】
符号１に示すものは消火器と消火バケツの収納容器である。
【００１７】
収納容器１の上面に消火器用透孔３と消火バケツ用透孔５とを設ける。
【００１８】
消火器７と消火バケツ９とをそれぞれ上部７ａ、９ａを該消火器用透孔３と該消火バケツ用透孔５とから上方に露出させた状態で収納する。
【００１９】
符号１１に示すものは、収納容器１の底部１３に設けられた消火器用支持枠である。消火器用支持枠１１は消火器７の下端を支持する。
【００２０】
収納容器１には、消火器７と消火バケツ９との存在を示す表示板１５を支柱１７を介して立設する。
【００２１】
即ち、一例として、収納容器１の上面に支柱用透孔１９を設けると共に収納容器１の底部１３に支柱用支持枠２１を設け、支柱１７を支柱用透孔１９に挿通させると共に支柱１７の下端を支柱用支持枠２１に支持させる。
【００２２】
図３に示す事例においては、表示板１５には「消火器」の文字２３と「消火バケツ」の文字２５とを目立つように表示している。
【００２３】
次に、本考案の好ましい事例について説明する。
【００２４】
収納容器１は、略長方形状の底部１３の四辺にそれぞれ略長方形状の壁板２７、２９、３１、３３を折り畳み自在に枢着してなる本体部３５と、該本体部３５の開口上面に取り外し自在に嵌着した蓋体３７とよりなるものとする。
【００２５】
略長方形状の壁板２７、２９、３１、３３は、それぞれヒンジ３９（図示せず。）、４１、４３、４５を介して底部１３の四辺に折り畳み自在に枢着する。
【００２６】
蓋体３７には消火器用透孔３と消火バケツ用透孔５とを設け、消火器７と消火バケツ９とをそれぞれ上部７ａ、９ａを該消火器用透孔３と該消火バケツ用透孔５とから上方に露出させた状態で収納する。
【００２７】
収納容器１には、消火器７と消火バケツ９との存在を示す表示板１５を分割自在の支柱１７を介して立設する。
【００２８】
支持板１５は上側板１５ａと下側板１５ｂとをヒンジ４７を介して折り畳み自在に連結し、該上側板１５ａに「消火器」の文字２３と「消火バケツ」の文字２５とを目立つように表示する。
【００２９】
支柱１７は、複数の支柱構成部材１７ａ、１７ｂ、１７ｃ・・・を分離自在に連結してなるものとする。支柱１７はその断面形状の如何を問わない。
【００３０】
複数の支柱構成部材１７ａ、１７ｂ、１７ｃ・・・を分離自在に連結するために、例えば、図４に示す事例においては、各支柱構成部材の一端に突起４９を設け、他の支柱構成部材の対応端に該突起４９に対応する挿入孔５１を形成し、該突起４９を挿入孔５１に挿脱自在に挿入している。
【００３１】
また、複数の支柱構成部材１７ａ、１７ｂ、１７ｃ・・・を分離自在に連結するために、図５に示す事例においては、各支柱構成部材の一端に雄ねじ５３を設け、他の支柱構成部材の対応端に該雄ねじ５３に対応する雌ねじ５５を形成し、該雄ねじ５３を雌ねじ５５に螺合している。
【００３２】
更に、表示板１５と分割した支柱１７（分離した支柱構成部材１７ａ、１７ｂ、１７ｃ・・・）とを収納容器１の底部１３上に載置した状態で各壁板２７、２９、３１、３３を内側に折り畳むと共に蓋体３７を該底部１３上に嵌着することができるようにする。
【００３３】
符号５７に示すものは、蓋体３７に突設したハンドルである。
【００３４】
なお、収納容器１の使用時には、一例として、蓋体３７はねじ５９により両縁に折曲部３１ａ、３３ａを備えた壁板３１、３３に固定される。符号６１に示すものは蓋体３７に形成されたねじ挿入孔であり、符号６３に示すものは壁板３１、３３に形成されたねじ孔である。
【図面の簡単な説明】
【００３５】
【図１】本考案による消火器と消火バケツの収納容器の一例を示す断面図である。
【図２】同上収納容器を分解して示す斜視図である。
【図３】表示板と支柱とを示す正面図である。
【図４】支柱構成部材の連結状態の一例を示す側面図である。
【図５】支柱構成部材の連結状態の別の一例を示す側面図である。
【図６】収納容器を表示板と支柱とを収納してコンパクトに折り畳んだ状態を示す平面図である。
【符号の説明】
【００３６】
１  収納容器
３  消火器用透孔
５  消火バケツ用透孔
７  消火器
７ａ  上部
９  消火バケツ
９ａ  上部
１１  消火器用支持枠
１３  底部
１５  表示板
１５ａ  上側板
１５ｂ  下側板
１７  支柱
１７ａ  支柱構成部材
１７ｂ  支柱構成部材
１７ｃ  支柱構成部材
１９  支柱用透孔
２１  支柱用支持枠
２３  「消火器」の文字
２５  「消火バケツ」の文字
２７  壁板
２９  壁板
３１  壁板
３１ａ  折曲部
３３  壁板
３３ａ  折曲部
３５  本体部
３７  蓋体
３９  ヒンジ
４１  ヒンジ
４３  ヒンジ
４５  ヒンジ
４７  ヒンジ
４９  突起
５１  挿入孔
５３  雄ねじ
５５  雌ねじ
５７  ハンドル
５９  ねじ
６１  ねじ挿入孔
６３  ねじ孔
【図１】
0003119174.tif 000003
【図２】
0003119174.tif 000004
【図３】
0003119174.tif 000005
【図４】
0003119174.tif 000006
【図５】
0003119174.tif 000007
【図６】
0003119174.tif 000008